(57)【要約】【課題】表面化粧材の象嵌模様の形成部が曲面三次元の形状であっても、象嵌模様を高精度に形成できるようにするとともに、量産性を向上して製造コストを低くすることを可能とする象嵌パネル材およびその成形方法を提供する。【解決手段】表面化粧材１に窓孔１ａを形成する一方、前記窓孔に倣う形状に成形した象嵌部材２を保持部材３に固定し、前記表面化粧材の窓孔に前記象嵌部材を臨ませるとともに、象嵌部材と一体となった保持部材３のフランジ部３ａを表面化粧材１の裏面に固定し、しかるのち、前記表面化粧材の裏面に樹脂層６を形成して裏打処理を施す。【選択図】　　図１
2004017576.tif 000002
【特許請求の範囲】
【請求項１】
象嵌部材を臨ませる表面化粧材の窓孔の裏面に保持部材を設け、該保持部材により象嵌部材を保持してなることを特徴とする象嵌パネル材。
【請求項２】
保持部材が象嵌部材を部分的に保持することを特徴とする請求項１記載の象嵌パネル材。
【請求項３】
保持部材がシート状であって象嵌部材の一部または全部を保持するようにしたことを特徴とする請求項１記載の象嵌パネル材。
【請求項４】
保持部材が象嵌部材を収容するコア形状であることを特徴とする請求項１記載の象嵌パネル材。
【請求項５】
保持部材が象嵌部材を収容するコア形状であって適宜位置に通孔が形成されていることを特徴とする請求項１記載の象嵌パネル材。
【請求項６】
表面化粧材に窓孔を形成する一方、前記窓孔に倣う形状に成形した象嵌部材を保持部材に固定し、
前記表面化粧材の窓孔に前記象嵌部材を臨ませるとともに、象嵌部材と一体となった保持部材のフランジ部を表面化粧材の裏面に固定し、
しかるのち、前記表面化粧材の裏面に樹脂層を形成して裏打処理を施したことを特徴とする象嵌パネル材の成形方法。
【請求項７】
表面化粧材に窓孔を形成して保持部材を固定し、
前記表面化粧材の裏面に樹脂層を形成して裏打処理を施し、
しかるのち、表面化粧材の窓孔に象嵌部材を埋設するようにしたことを特徴とする象嵌パネル材の成形方法。
【発明の詳細な説明】
【０００１】
【発明の属する技術分野】
本発明は表面化粧材に象嵌模様を形成した象嵌パネル材およびその成形方法に関するもので、象嵌部材が高精度に位置決めされた象嵌パネル材を提供するとともに、製造コストを低くすることができる量産性に優れた成形方法を提供するものである。
【０００２】
【従来の技術】
従来、パネル状の表面化粧材の表面に象嵌調の模様を形成する方法は、表面化粧材に形成した凹陥部に象嵌部材を接着固定する方法が一般的であり、図８に示すごとき工程が多く採用されている。
【０００３】
これは、予め、図８（Ａ）に示すごとき基材１０１に表面化粧材１０２を形成した表装材１００を準備し、つぎに、図８（Ｂ）に示すごとく、表装材１００の表面にドリルあるいはルータなどの切削工具Ｄにより凹陥部１０３を形成する。そして、前記工程で形成された凹陥部１０４にへ図８（Ｃ）に示すごとく象嵌部材１０４を接着固定し、仕上げ工程において図８（Ｄ）に示すごとく表面にクリヤー塗装１０５を施すようにしている。
【０００４】
【発明が解決しようとする課題】
上記従来の方法による場合は、象嵌模様の形成位置に順次、凹陥部を形成するのであるが、その深さ精度を向上するのがきわめて困難であった。このような機械加工ではその平坦性が乏しく、特に曲面である場合、均等な深さの凹陥部が得られない。このように、不均等な深さの凹陥部が形成され、これに象嵌部材を固定すると、図８（Ｄ）に示すごとく表面に凹凸Ｐが生じて平滑性が損なわれ、製品としての高い品質が得られなくなる。そこで、表面を研削し、平坦にする作業が行われるが、余分な工程が増え、製造コストを高くする要因となり、また、研削により表装材を傷付け、不良品の発生率を高くする要因となっていた。
【０００５】
また、上記従来の方法では、複雑な形状の象嵌部材、あるいは三次元曲面に対応するための凹陥部の形成は、さらに深さ精度が低下し、均質な製品を得ることができなかった。特に自動車の内装部品などには、曲面成形、三次元成形が多く、高い精度が要求されるものである。
【０００６】
本発明はかかる従来の問題に鑑みなされたものであり、象嵌模様を施す部位が平面はもとより、曲面あるいは三次元の形状であっても高精度に対応できるようにしたもので、量産性を向上し、製造コストを低くすることができる象嵌パネル材およびその成形方法を提供するものである。
【０００７】
【課題を解決するための手段】
そこで本発明は、象嵌部材を臨ませる表面化粧材の窓孔の裏面に保持部材を設け、該保持部材により象嵌部材を保持するようにした第１の構成と、
【０００８】
上記第１の構成において、保持部材が象嵌部材を部分的に保持する第２の構成と、
【０００９】
上記第１の構成において、保持部材がシート状であって象嵌部材の一部または全部を保持する第３の構成と、
【００１０】
上記第１の構成において、保持部材が象嵌部材を収容するコア形状である第４の構成と、
【００１１】
上記第１の構成において、保持部材が象嵌部材を収容するコア形状であって適宜位置に通孔が形成されている第５の構成と、
【００１２】
表面化粧材に窓孔を形成する一方、前記窓孔に倣う形状に成形した象嵌部材を保持部材に固定し、前記表面化粧材の窓孔に前記象嵌部材を臨ませるとともに、象嵌部材と一体となった保持部材のフランジ部を表面化粧材の裏面に固定し、しかるのち、前記表面化粧材の裏面に樹脂層を形成して裏打処理を施すようにした第１の方法と、
【００１３】
表面化粧材に窓孔を形成して保持部材を固定し、前記表面化粧材の裏面に樹脂層を形成して裏打処理を施し、しかるのち、表面化粧材の窓孔に象嵌部材を埋設するようにした第２の方法と、により課題を解決する。
【００１４】
【発明の実施の形態】
以下、本発明の実施の形態を図にもとづいて詳細に説明する。
【００１５】
図１は本発明による象嵌パネル材の第１の成形方法の工程を示す図であり、同図において、符号１は表面化粧材を示し、その素材は、装飾性のある木質材料、カーボン繊維材料、板状の金属材料あるいは合成樹脂材料など適宜選択し得る。そして、図１（Ａ）において、表面化粧材１に象嵌部材を臨ませるための窓孔１ａを形成するとともに、所望の形状とするための余分な外形部分１ｂを取り除き、必要に応じて曲面成形し、図１（Ｂ）に示すごとく予備成形された表面化粧材１を得る。なお、前記表面化粧材１の窓孔１ａの形成は、プレス加工による打ち抜き、切削あるいはレーザ加工など素材に適する適宜手段を採用する。
【００１６】
一方、図１（Ｃ）の工程において、前記表面化粧材１に形成された窓孔１ａに倣う形状の象嵌部材２を形成し、この象嵌部材２と保持部材３が図１（Ｄ）に示すごとく接着剤などによる適宜手段により固定される。
【００１７】
つぎに、図１（Ｅ）の工程において、表面化粧材１の窓孔１ａに象嵌部材２を臨ませ、前記保持部材３のフランジ３ａを表面化粧材１の裏面に接着剤などによる適宜手段で固定する。
【００１８】
このようにして象嵌部材２が固定された表面化粧材１の裏面に基材となる樹脂層６を形成して裏打処理を施すため、図１（Ｆ）に示すごとく射出成形機の金型に装着する。同図において、符号４は下型であり、この下型のキャビティ４ａ内に図１（Ｅ）の工程で処理された表面化粧材１を配置する。符号５は上型であり、この上型の流路５ａから溶融樹脂を前記キャビティ４ａ内に注入する。
【００１９】
このようにして図１（Ｇ）に示すごとく表面化粧材１の裏面に樹脂層６が形成され、本発明による象嵌パネル材が完成する。このように象嵌パネルが成形されたことにより、象嵌部材２が表面化粧材１の窓孔１ａから露呈し、象嵌模様が形成されることになる。
【００２０】
図２（Ａ）（Ｂ）は保持部材３の他の例を示すもので、その開放端部に係合部３ａを形成し、該係合部３ａに表面化粧材１の窓孔１ａを係合して固定しするようにしたもので、接着による固定を省略できるため製造時間の短縮と製造工程の簡略化が可能となる。
【００２１】
図３は、象嵌部材の表面化粧材１への固定手段の他の例を示すもので、同図において符号７は保持部材となるシート材であり、象嵌部材２の一部または全部を覆う形状に裁断されている。このシート材７の素材は、紙、プラスチックフィルム、アルミニウムなどの金属素材の薄片であり、象嵌部材に対向する面に接着剤または粘着剤が塗布されている。そして、象嵌部材２を表面化粧材１の窓孔１ａに臨ませ、その象嵌部材２の背面を覆うようにシート材７を貼着し、さらにシート材の外周端部を表面化粧材１の裏面に貼着する。
【００２２】
図４は、象嵌部材の表面化粧材１への固定手段のさらに他の例を示すもので、同図において符号８はコア部材であって凹陥部８ａが形成されており、図４（Ａ）に示すごとくこの凹陥部８ａの底面に接着剤９を塗布して図４（Ｂ）に示すように象嵌部材２を収容する。そして、コア部材８のフランジ８ｂに接着剤１０を塗布し、図４（Ｃ）に示すごとく表面化粧材１の窓孔１ａに象嵌部材２を臨ませて取り付ける。
【００２３】
図５は、コア部材の他の例を示すもので、コア部材８の側壁、底壁に同図（Ａ）に示すような通孔８ｃを形成したものである。このように形成したコア部材８により象嵌部材２を取り付ける場合は、まず、コア部材８のフランジ８ｂに接着剤を塗布し、表面化粧材１の窓孔１ａに凹陥部８ａを位置させて固定する。つぎに、表面化粧材１の窓孔１ａから象嵌部材２を装填し、その状態で射出成形機の金型へ図５（Ｂ）に示すよう装着して図１の工程と同様に溶融樹脂を注入し、裏打処理を施す。このように成形することにより、樹脂層６はコア部材８の通孔８ｃにも充満し、この樹脂層６が象嵌部材２を挟持する状態で硬化する。
【００２４】
図６は、上記と同様の成形処理において、象嵌部材２をコア部材８の凹陥部８ａより僅かに小さい外形のものとしたことにより、樹脂層６が象嵌部材２の全体を凹陥部８ａ内で包み込むように成形されるようにしたもので、これにより、より強固に表面化粧材１と象嵌部材２が一体化される。
【００２５】
図７は本発明による象嵌パネル材の第２の成形方法の工程を示す図であり、同図において符号１は表面化粧材を示し、図７（Ａ）において、表面化粧材１に象嵌部材を臨ませるための窓孔１ａを形成するとともに、所望の形状とするための余分な外形部分１ｂを取り除き、必要に応じて曲面成形し、図７（Ｂ）に示すごとく予備成形された表面化粧材１を得る。
【００２６】
つぎに、図７（Ｃ）の工程において、表面化粧材１の窓孔１ａに保持部材８の凹陥部８ａを臨ませ、該保持部材８のフランジ８ｂに接着剤を塗布して固定する。
【００２７】
このようにして保持部材が固定された表面化粧材１の裏面に基材となる樹脂層６を形成して裏打処理を施すため、図７（Ｄ）に示すごとく射出成形機の金型に装着する。そして、第１の成形方法と同様に、溶融樹脂を注入して樹脂層６を形成する。
【００２８】
このように成形された表面化粧材１の表面には依然、凹陥部８ａが開口しているため、図７（Ｅ）の工程においてこの凹陥部８ａに象嵌部材２を埋設して接着剤で固定し、図７（Ｆ）に示すように、表面に象嵌模様が形成された象嵌パネル材が完成する。
【００２９】
【発明の効果】
以上、詳細に説明したごとく本発明によれば、従来のような切削加工や後加工などの作業を不要とし、全ての工程を成形処理で対応することができるので、量産性に優れ製造コストを格段に低くすることができる。さらに、表面化粧材に象嵌部材が載置される構成となるので、三次元的な曲面にも容易に対応することが可能である。また、表面化粧材への保持部材の固定が予備成形段階で確実に行われるので、表面化粧材の背面へ樹脂層を形成するための射出成形の成形精度を高くすることができるなど、多大の効果を奏するものである。
【図面の簡単な説明】
【図１】本発明による象嵌パネル材の第１の成形方法の工程を示す図である。
【図２】本発明による保持部材の他の例を示す図である。
【図３】象嵌部材の表面化粧材への固定方法の他の例を示す図である。
【図４】象嵌部材の表面化粧材への固定方法のさらに他の例を示す図である。
【図５】通孔を形成したコア部材による成形状態の例を示す図である。
【図６】通孔を形成したコア部材による成形状態の他の例を示す図である。
【図７】本発明による象嵌パネル材の第２の成形方法の工程を示す図である。
【図８】従来の象嵌パネル材の成形工程を示す図である。
【符号の説明】
１・・・・・・表面化粧材
２・・・・・・象嵌部材
３・・・・・・保持部材
６・・・・・・樹脂層
７・・・・・・シート材
８・・・・・・コア部材
【図１】
2004017576.tif 000003
【図２】
2004017576.tif 000004
【図３】
2004017576.tif 000005
【図４】
2004017576.tif 000006
【図５】
2004017576.tif 000007
【図６】
2004017576.tif 000008
【図７】
2004017576.tif 000009
【図８】
2004017576.tif 000010